(57)【特許請求の範囲】
【請求項１】
１本又は複数本の棒状の浮きから成るフローター体（１）と、前記フローター体（１）の全長に亘ってその下部に吊り下げられた汚濁防止用カーテン（２）と、前記汚濁防止用カーテン（２）の前記フローター体（１）と反対側の下端に固定されたウエイト（３）とから成る汚濁防止膜において、
ソーラーパネル部とバッテリー部と夜間自動通電制御部とを有し、
前記フローター体（１）の上部に設置されているソーラー蓄電池体(４)に接続されていて、可撓性を有するチューブ内に多数のＬＥＤライトが配置されているチューブ状ＬＥＤライト(５)とから成る夜間点滅装置が、前記フローター体(１)の上部全長に取り付けられており、
前記フローター体(１)の長手方向の中央上部に前記ソーラー蓄電池体(４)が設置され、前記ソーラー蓄電池体（４）から前記フローター体（１）の長手方向の両端までそれぞれ少なくとも１つずつの前記チューブ状ＬＥＤライト（５）が掛け渡されて、１つの汚濁防止膜ユニットを構成していることを特徴とする汚濁防止膜。
【発明の詳細な説明】
【技術分野】
【０００１】
本発明は、水中の汚濁防止膜の位置を、特に夜間において容易に把握することができ、また陸上からの送電も必要としない夜間点滅装置付きの汚濁防止膜に関するものである。
【背景技術】
【０００２】
汚濁防止膜は、海洋や河川での浚渫工事や埋立工事において発生する汚濁の拡散を防止し、周辺への濁りの影響を与えないようにするための膜体（汚濁防止用カーテン）を主に構成された膜構造物であり、従来からある汚濁防止膜は、基本的には、ブイ等の浮き体と、浮き体間に掛け渡されたロープと、ロープから吊り下げられた汚濁防止用カーテンと、汚濁防止用カーテンの捲れ上がりの防止や位置固定するためのウエイトから成る。
【０００３】
このような従来からある汚濁防止膜では、船舶等が誤って汚濁防止用カーテンに引っかかって事故を起こすことがある。すなわちこのような汚濁防止膜は、一般には海洋や河川において非常に広範囲に亘って設置され、汚濁防止用カーテン部分は水中に位置していてその存在を把握できないから、昼間においては、水面上等に点在するブイ等の浮き体の位置から汚濁防止用カーテンの位置を推測しなければならず、夜間においては、水面上等に点在する浮き体を確認することさえ難しく、汚濁防止用カーテンの位置を把握することは非常に困難であり、船舶等による事故がしばしば起こった。
【０００４】
このような水中に敷設した膜構造物等の位置を把握することが難しいという問題に対しては、太陽電池で日中は太陽光により蓄電池に充電を行い、夜間は蓄電池の電源でトランジスター発信回路を経て高輝度発光ダイオードを点滅発光させるもので、太陽の照度で自動的に充電と発光を切り替える回路を附した点滅発光小型ブイがある（例えば、特許文献１参照。）。
【０００５】
このような構成のブイ等を使用すれば、夜間においてブイ等の浮き体の位置を確認することはできるが、結局は広範囲に点在するブイの位置を確認できるだけであるから、汚濁防止用カーテンの全体の位置は推測しなければならないので、汚濁防止用カーテンの位置を誤って認識することも多く、汚濁防止用カーテンを巻き込んだ船舶等による事故や、それに伴う汚濁水の流出等の発生を十分に予防することは難しいのである。
【先行技術文献】
【特許文献】
【０００６】
【特許文献１】実開昭６４−３９１９５号公報
【発明の概要】
【発明が解決しようとする課題】
【０００７】
本発明は前記の問題に鑑み、昼間において汚濁防止用カーテンの位置を正確に把握できるだけでなく、夜間においても汚濁防止用カーテンの位置を確実に把握することができる夜間点滅装置付きの汚濁防止膜を提供することを課題とする。
【課題を解決するための手段】
【０００８】
本発明者らは前記課題を解決すべく鋭意検討を重ねた結果、汚濁防止膜を、１本又は複数本の棒状の浮きから成るフローター体と、このフローター体の全長に亘ってその下部に吊り下げられた汚濁防止用カーテンと、この汚濁防止用カーテンのフローター体と反対側の下端に固定されたウエイトとから構成させれば、フローター体の全長に亘ってその下部に汚濁防止用カーテンが吊り下げられていることから、昼間においては長く連なるフローター体の位置により容易に汚濁防止用カーテンの位置を把握することができ、また夜間において、従来のように大きく離れて点在するブイ等の点滅だけでは、汚濁防止用カーテンの位置を把握することは困難であり、仮にブイ間のロープ等に光源を取り付けても水没等により光源が目立たない場合も多いが、ソーラーパネル部とバッテリー部と夜間自動通電制御部とを有しフローター体の上部に設置されているソーラー蓄電池体に接続されていて、可撓性を有するチューブ内に多数のＬＥＤライトが配置されているチューブ状ＬＥＤライトから成る夜間点滅装置をこの長く連なるフローター体の上部全長に取り付ければ、チューブ状ＬＥＤライトを水面上に確実に位置させることができ、汚濁防止用カーテンの水平方向の略全長に亘って点滅するチューブ状ＬＥＤライトによって、夜間においても汚濁防止用カーテンの位置を正確に把握できることを究明して本発明を完成したのである。
【０００９】
即ち本発明は、１本又は複数本の棒状の浮きから成るフローター体と、フローター体の全長に亘ってその下部に吊り下げられた汚濁防止用カーテンと、汚濁防止用カーテンのフローター体と反対側の下端に固定されたウエイトとから成る汚濁防止膜において、
ソーラーパネル部とバッテリー部と夜間自動通電制御部とを有し該フローター体の上部に設置されているソーラー蓄電池体に接続されていて、可撓性を有するチューブ内に多数のＬＥＤライトが配置されているチューブ状ＬＥＤライトから成る夜間点滅装置が、該フローター体の上部全長に取り付けられていることを特徴とする汚濁防止膜である。
【００１０】
またフローター体の長手方向の中央上部にソーラー蓄電池体を設置すれば、中央のソーラー蓄電池体からフローター体の長手方向の両端までそれぞれ１つずつのチューブ状のＬＥＤライトを掛け渡すことができ、これにより１つのユニット状の夜間点滅装置付きの汚濁防止膜とすることができるから、このようなユニット状の夜間点滅装置付きの汚濁防止膜を連結していくことによって、広大な水上等において、簡便に敷設することができて好ましいのである。
【発明の効果】
【００１１】
本発明に係る汚濁防止膜は、１本又は複数本の棒状の浮きから成るフローター体と、フローター体の全長に亘ってその下部に吊り下げられた汚濁防止用カーテンと、汚濁防止用カーテンのフローター体と反対側の下端に固定されたウエイトとから構成されているから、汚濁防止用カーテンの上部にはその全長に亘ってフローター体が位置しているので、昼間においては長く連なるフローター体の位置により容易に汚濁防止用カーテンの位置を把握することができ、
またソーラーパネル部とバッテリー部と夜間自動通電制御部とを有しフローター体の上部に設置されているソーラー蓄電池体に接続されていて、可撓性を有するチューブ内に多数のＬＥＤライトが配置されているチューブ状ＬＥＤライトから成る夜間点滅装置が、フローター体の上部全長に取り付けられているから、夜間においては、この長く連なるフローター体の上部全長に取り付けられている夜間点滅装置の点滅によって汚濁防止用カーテンの位置を正確に把握することができるから、汚濁防止用カーテンを巻き込んだ船舶等による事故や、それに伴う汚濁水の流出等の発生を十分に予防することができるのである。
【００１２】
またフローター体の長手方向の中央上部にソーラー蓄電池体が設置されている態様では、中央のソーラー蓄電池体からフローター体の長手方向の両端までそれぞれ１つずつのチューブ状のＬＥＤライトを掛け渡すことができ、これにより１つのユニット状の夜間点滅装置付きの汚濁防止膜とすることができるから、このようなユニット状の夜間点滅装置付きの汚濁防止膜を連結していくことによって、広大な水上等において、簡便に敷設することができて好ましいのである。
【図面の簡単な説明】
【００１３】
【図１】本発明に係る汚濁防止膜の一実施例を示す正面説明図である。
【図２】図１の汚濁防止膜の右側面説明図である。
【図３】従来からある夜間点滅装置付きの定置網の一実施例を示す斜視説明図である。
【発明を実施するための形態】
【００１４】
以下、図面を用いて本発明に係る汚濁防止膜について詳細に説明する。
【００１５】
図面中、１は１本又は複数本の棒状の浮きから成るフローター体、２はフローター体１の全長に亘ってその下部に吊り下げられた汚濁防止用カーテン、３は汚濁防止用カーテン２のフローター体１と反対側の下端に固定されたウエイトであり、基本的にはこれらフローター体１，汚濁防止用カーテン２，及びウエイト３によって汚濁防止膜が構成されていて、後述するソーラー蓄電池体４とチューブ状ＬＥＤライト５とによって夜間点滅装置が構成されている。
【００１６】
４はソーラーパネル部とバッテリー部と夜間自動通電制御部とを有し、フローター体１の上部に設置されているソーラー蓄電池体である。本発明に係る汚濁防止膜では、長く連なるフローター体１が使用されるので、このソーラー蓄電池体４は、従来のブイ等とは異なり、フローター体１の任意の位置に適宜取り付けることができるから、汚濁防止膜の規模や設置場所等に合わせて柔軟に電力量の受給を調整することができる。
【００１７】
５は可撓性を有するチューブ内に多数のＬＥＤライトが配置されているチューブ状ＬＥＤライトであり、フローター体１の上部全長に取り付けられている。
【００１８】
このような本発明に係る汚濁防止膜を実際に使用するには、先ず海洋や河川での浚渫工事や埋立工事において、どの程度の距離に亘って汚濁防止膜を敷設するか計画を立て、そこに使用される全チューブ状ＬＥＤライト５を夜間に点滅させるのに必要な電力を計算する。
【００１９】
その際、海洋や河川上の全チューブ状ＬＥＤライト５に陸上から電力を供給することは難しいため、本発明に係る汚濁防止膜では、ソーラー蓄電池体４のソーラーパネル部によって発電し、バッテリー部に蓄電し、その電力によって夜間に使用されるチューブ状ＬＥＤライト５の電力がまかなうのである。またチューブ状ＬＥＤライト５にはＬＥＤが使用されているから消費電力を抑えることができ、また寿命も長いことから管理性にも優れているのである。
【００２０】
なお、ソーラーパネル部によって発電される電力量は、浚渫工事や埋立工事が行われる地域の緯度や地形、また季節によっても異なるが、本発明に係る汚濁防止膜では、ソーラーパネル部を有するソーラー蓄電池体４をフローター体１上に適宜設置することによって、各種の条件に対して柔軟に対応することができるのである。
【００２１】
また一般に、海洋や河川での浚渫工事や埋立工事において、汚濁防止膜は広範囲に亘って配置されるが、フローター体１の長手方向の中央上部にソーラー蓄電池体４が設置されている態様の本発明に係る汚濁防止膜では、中央のソーラー蓄電池体４からフローター体１の長手方向の両端までそれぞれ１つずつのチューブ状のＬＥＤライト５を掛け渡すことができ、これにより１つのユニット状の夜間点滅装置付きの汚濁防止膜とすることができるから、連結していくだけで簡便に敷設でき、施工期間を大幅に短縮でき、また夜間点滅装置の故障や汚濁防止膜が破損したような場合には、その部分のユニット状の夜間点滅装置や汚濁防止膜だけを交換すればよいから補修性も高いのである。
【符号の説明】
【００２２】
１  フローター体
２  汚濁防止用カーテン
３  ウエイト
４  ソーラー蓄電池体
５  チューブ状ＬＥＤライト
【図１】
0005923387.tif 000002
【図２】
0005923387.tif 000003
【図３】
0005923387.tif 000004